(57)【特許請求の範囲】
【請求項１】
菓子載置板と、
前記菓子載置板の周縁部に複数配置されると共に、少なくとも１つが前記菓子載置板と着脱自在に構成された支柱部と、
前記支柱部の上端に取り付けられると共に、前記菓子載置板と略同形状に構成された天板と、
前記支柱部に貼り合わせられ、前記菓子載置板と前記天板に挟まれた領域を略囲繞する紙部材とを備える
菓子収納ケース。
【請求項２】
前記紙部材は和紙である
請求項１に記載の菓子収納ケース。
【請求項３】
前記天板は、同天板に積み重ねられた菓子載置板と係留可能な係留手段を有する
請求項１または請求項２に記載の菓子収納ケース。
【請求項４】
前記菓子載置板、前記支柱部、あるいは前記天板の少なくとも一つは、隣接する菓子載
置板、支柱部、あるいは天板同士を横方向に連結可能な連結手段を有する
請求項１、請求項２または請求項３に記載の菓子収納ケース。
【請求項５】
前記天板は、前記支柱部に着脱自在に取り付けられた
請求項１、請求項２、請求項３または請求項４に記載の菓子収納ケース。
【発明の詳細な説明】
【技術分野】
【０００１】
本発明は、菓子収納ケースに関する。詳しくは、デコレーションケーキ、あるいはショートケーキ等の菓子を収納するための菓子収納ケースに係るものである。
【背景技術】
【０００２】
従来、デコレーションケーキの収納ケースとして、例えば特許文献１に記載されたものが知られている。
具体的には、特許文献１に記載されたケーキ収納ケースは、図８に示すように、ケーキを載せる底板１０１と、底板１０１上に覆設される蓋１０２で構成され、この蓋１０２のコーナー部内側には、保冷剤１０３を入れることのできるコーナー収納部１０４がそれぞれ縦方向に形成されている。
【先行技術文献】
【特許文献】
【０００３】
【特許文献１】特開２０００−２８９７８０号公報
【発明の概要】
【発明が解決しようとする課題】
【０００４】
しかしながら、上述した特許文献１に記載されたケーキ収納ケースでは、ケーキが底板に載置された状態で蓋を取り付ける、あるいは取り外す際に蓋がケーキに触れることでケーキを損壊させる恐れがある。
【０００５】
本発明は、以上の点に鑑みて創案されたものであって、ケーキ等の菓子を持ち上げることなく横方向からスライドして収納することを実現可能とした菓子収納ケースを提供することを目的とするものである。
【課題を解決するための手段】
【０００６】
上記の目的を達成するために、本発明に係る菓子収納ケースは、菓子載置板と、前記菓子載置板の周縁部に複数配置されると共に、少なくとも１つが前記菓子載置板と着脱自在に構成された支柱部と、前記支柱部の上端に取り付けられると共に、前記菓子載置板と略同形状に構成された天板と、前記支柱部に貼り合わせられ、前記菓子載置板と前記天板に挟まれた領域を略囲繞する紙部材とを備える。
【０００７】
ここで、菓子載置板の周縁部に複数配置されると共に、少なくとも１つが菓子載置板と着脱自在に構成された支柱部によって、菓子を収納する際に支柱を取り外すことができ、菓子を持ち上げることなく横方向からスライドして収納することが可能となる。
【０００８】
また、支柱部に貼り合わせられ、菓子載置板と天板に挟まれた領域を略囲繞する紙部材によって、菓子を収納する領域の露出を低減することができる。なお、菓子を収納する領域（即ち、菓子載置板と天板に挟まれた領域）の露出を低減することで、外部のほこり等が収納された菓子に付着し難くなると共に、収納された菓子を意図せず損壊し難くなる。
【０００９】
また、一部に開口領域を設けた状態で紙部材を支柱部に貼り合わせた場合には、収納された菓子の状態を外部から視認することが可能となる。
【００１０】
ここで、（１）菓子収納ケースの外部にドライアイス等の保冷剤を配置して収納された菓子を冷却する場合や、（２）菓子が収納された菓子収納ケース自体を冷蔵庫等で保管する場合には、菓子収納ケースの外部の冷気を菓子収納ケースの内部に効率的に導くことが好ましい。そして、一部に開口領域を設けた状態で紙部材を支柱部に貼り合わせた場合には、菓子収納ケースの外部の冷気を開口領域を通じて菓子収納ケースの内部に導くことができ、収納された菓子を効率的に冷却することができる。
【００１１】
なお、紙部材として和紙を採用した場合には、その一部に開口領域を設けない場合であったとしても、収納された菓子を効率的に冷却することが可能である。即ち、和紙は通気性に極めて優れており、菓子載置板と天板に挟まれた領域を開口領域を設けずに囲繞したとしても、菓子収納ケースの外部の冷気を和紙を通じて菓子収納ケースの内部に導くことができ、収納された菓子を効率的に冷却することができる。
【００１２】
また、天板が、天板に積み重ねられた菓子載板と係留可能な係留手段を有する場合には、複数の菓子収納ケースを確実に積み上げることができ、運搬時や収納時に好都合である。
【００１３】
また、菓子載置板、支柱部、あるいは天板の少なくとも一つが、隣接する菓子載置板、支柱部、あるいは天板同士を横方向に連結可能な連結手段を有する場合には、複数の菓子収納ケースを隣接した状態で連結することができ、運搬時や収納時に好都合である。
【００１４】
また、天板は、支柱部に着脱自在に取り付けられる構成を採用した場合には、菓子載置板、支柱部及び天板をそれぞれ分離することができるために、必要に応じて菓子収納ケースを組立てることができる。そのため、例えば、菓子を横方向からスライドして収納した後に、支柱部に天板を取り付けるといった使用方法も可能となる。
【００１５】
また、上記の目的を達成するために、本発明に係る菓子収納ケースは、菓子載置板と、前記菓子載置板の周縁部に複数配置されると共に、少なくとも１つが前記菓子載置板と着脱自在に構成された支柱部と、前記支柱部の上端に取り付けられると共に、前記菓子載置板と略同形状に構成された天板とを備える。
【００１６】
ここで、菓子載置板の周縁部に複数配置されると共に、少なくとも１つが菓子載置板と着脱自在に構成された支柱部によって、菓子を収納する際に支柱を取り外すことができることで菓子を持ち上げることなく横方向からスライドして収納することが可能となる。
【発明の効果】
【００１７】
本発明の菓子収納ケースによれば、菓子を持ち上げることなく横方向からスライドして収納することが可能となる。
【図面の簡単な説明】
【００１８】
【図１】本発明を適用した菓子収納ケースの一例を説明するための模式図である。
【図２】本発明を適用した菓子収納ケースの支柱部の取り付け構造の一例を説明するための模式図である。
【図３】本発明を適用した菓子収納ケースの係留部の取り付け構造の一例を説明するための模式図である。
【図４】本発明を適用した菓子収納ケースの一例の使用状態を説明するための模式図である。
【図５】本発明を適用した菓子収納ケースの他の例を説明するための模式図である。
【図６】本発明を適用した菓子収納ケースの連結部の取り付け構造を説明するための模式図である。
【図７】本発明を適用した菓子収納ケースの他の例の使用状態を説明するための模式図である。
【図８】従来のケーキ収納ケースの一例を説明するための模式図である。
【発明を実施するための形態】
【００１９】
以下、本発明の実施の形態を図面を参酌しながら説明し、本発明の理解に供する。
【００２０】
＜第１の実施の形態＞
図１は本発明を適用した菓子収納ケースの一例を説明するための模式図、図２は本発明を適用した菓子収納ケースの支柱部の取り付け構造の一例を説明するための模式図、図３は本発明を適用した菓子収納ケースの係留部の取り付け構造の一例を説明するための模式図である。
【００２１】
ここで示すケーキ収納ケース１は、デコレーションケーキの形状に合わせて形成された円板状のケーキ載置板２を有しており、このケーキ載置板２の周縁部に複数の支柱部３が立設されると共に、これらの支柱部３上に天板４が取り付けられている。
【００２２】
このケーキ収納ケース１を構成するケーキ載置板２、支柱部３及び天板４は、例えば抗菌処理が施されたプラスチック等の合成樹脂素材で形成されている。
【００２３】
更に、支柱部３間はケーキ載置板２と天板４に挟まれた領域を囲繞するために紙部材５を貼り合わせている。
【００２４】
ここで、ケーキ載置板２には、その周縁に沿って一定間隔ごとに支柱部係留用穴部６（本実施例では４個）が形成されている（図２参照）。
【００２５】
また、支柱部３の両側端には、支柱部係留用穴部６に嵌入可能な突起部７が形成されている。
【００２６】
なお、ケーキ載置板２の支柱部係留用穴部６内に支柱部３の突起部７を嵌め入れることで、支柱部３をケーキ載置板２上に自在に立設することができる。
【００２７】
また、天板４はケーキ載置板２と略同形状とされ、その周縁に沿ってケーキ載置板２の支柱部係留用穴部６と同間隔で支柱部係留用穴部６Ａが形成されている。
【００２８】
ここで、ケーキ載置板２上に立設された支柱部３の突起部７に天板４の支柱部係留用穴部６Ａを嵌め入れることで、天板４が支柱部３上に取り付けられている。
【００２９】
更に、天板４の周縁部には、略９０度間隔ごとに、天板４上にケーキ載置板２が積み重ねられた状態で係留することができる係留部８が設けられている。
【００３０】
この係留部８は、プラスチック等の合成樹脂板がＬ字形状に形成され、天板４の周縁部に穿孔された挿入溝部９内に係留部８の一辺を挿し込むことで、天板４の周縁部に係留部８を着脱自在に配置できる構成としている（図３参照）。
【００３１】
また、紙部材５は和紙により形成され、例えば、デコレーションケーキが収納できるスペースを残した状態で支柱部３間に貼り合わせている。なお、デコレーションケーキをケーキ載置板２上に載せた後に、デコレーションケーキが収納できるスペースを残すことなく、支柱部３間を紙部材５で囲繞しても良い。更に、ケーキ載置板２と天板４との間隙よりも幅狭の紙部材５で囲繞し、ケーキを収納する領域（即ち、ケーキ載置板と天板に挟まれた領域）の上方や下方、若しくは上方及び下方に開口領域を設ける様にしても良い。
【００３２】
なお、本実施例では、ケーキ載置板と天板は円形、かつ略同形状の形態について詳述するものであるが、必ずしも本実施例で例示した形態を採用する必要はない。
【００３３】
例えば、デコレーションケーキが収納できるスペースがあれば、四辺形状、あるいは、四辺形状と円形状との組み合わせなど種々の形状であっても構わない。
【００３４】
なお、ケーキ載置板と天板が同形状であることで、組立てが効率良く行うことができると共に、ケーキ収納ケースの積み上げを容易に行うことができるという点を考慮すると、ケーキ載置板と天板とは同形状であることが好ましい。
【００３５】
また、本実施例では和紙でケーキ載置板と天板との間を囲繞するものであるが、必ずしも和紙で囲繞する必要はない。但し、和紙は通気性や保湿性が西洋紙より優れており、ケーキ収納ケースの外部の冷気をケーキ収納ケースの内部に効率よく導入するといった観点を考慮すると、和紙を採用することが好ましい。
【００３６】
また、本実施例では天板に積み重ねられたケーキ載置板と係留可能な係留手段として、天板の周縁部に穿孔された挿入溝部内に一辺を差し込み、天板の周縁部と着脱自在に構成された係留部を例に挙げて説明を行っている。しかしながら、必ずしも本実施例で例示した形態を採用する必要はない。
【００３７】
例えば、係留部が天板の周縁に固着された構成であっても構わない。但し、ケーキ収納ケースを必ずしも積み重ねるとは限らないという点を考慮すると、必要に応じて（即ち、ケーキ収納ケースを積み重ねる場合に）係留部を自在に取り付けることができる構成とする方が好ましい。
【００３８】
以上の構成よりなる本発明のケーキ収納ケースでは、デコレーションケーキＡをケーキ収納ケース１内に収納する場合に、支柱部３の一つを外すことで、図４に示すように、デコレーションケーキＡを横方向からスライドさせるための間口を確保することが可能となる。
【００３９】
なお、デコレーションケーキＡをケーキ載置板２上に載せた後には、取り外した支柱部３を再びケーキ載置板２及び天板４に取り付け、支柱部３間を帯状の紙部材５で周回し、その紙部材５の両側端を貼り合わせることで、デコレーションケーキＡを被包する。
【００４０】
更に、ケーキ収納ケース１を２段重ねとする場合には、１段目（下段）のケーキ収納ケース１の天板３上に、２段目（上段）のケーキ収納ケース１を重ねる。このとき、１段目（下段）のケーキ収納ケース１の天板３の周縁に取り付けられた係留部８で２段目のケーキ収納ケース１のケーキ載置板２を係留する。こうすることで、安定してケーキ収納ケースを複数段積み上げることが可能となる。
【００４１】
また、ケーキ収納ケース１に収納されたケーキを冷蔵庫内で保冷する場合には、通気性の高い和紙を通して冷気がケーキ収納ケース１内に導入されることとなり、デコレーションケーキＡを効率的に冷却することができる。
【００４２】
＜第２の実施の形態＞
図５（イ）は本発明を適用した菓子収納ケースの他の例を説明するための立体模式図、図６（図６（イ）は本発明を適用した菓子収納ケースの連結部の取り付け構造の一例を説明するための模式図を示し、図６（ロ）は本発明を適用した菓子収納ケースの連結部の取り付け構造の他の例を説明するための模式図を示す。）は本発明を適用した菓子収納ケースの連結部の取り付け構造を説明するための模式図である。
【００４３】
ここで示すケーキ収納ケース１Ａは、ショートケーキの形状に合わせて形成された四角形状のケーキ載置板２Ａを有しており、このケーキ載置板２Ａの各コーナー部に支柱部３Ａが立設されると共に、これらの支柱部３Ａ上に天板４Ａが取り付けられている。
【００４４】
このケーキ収納ケース１Ａを構成するケーキ載置板２Ａ、支柱部３Ａ及び天板４Ａは、例えば抗菌処理が施されたプラスチック等の合成樹脂素材で形成されている。
【００４５】
更に、支柱部３Ａ間はケーキ載置板２Ａと天板４Ａに挟まれた領域を囲繞するために紙部材５Ａを貼り合わせている。
【００４６】
ここで、ケーキ載置板２Ａには、その周縁に沿って一定間隔ごとに支柱部係留用穴部６（本実施例では４個）が形成されている（図２参照）。
【００４７】
また、支柱部３Ａの両側端には、支柱部係留用穴部６に嵌入可能な突起部７が形成されている。
【００４８】
なお、前記図２において詳述したように、ケーキ載置板２Ａの支柱部係留用穴部６内に支柱部３Ａの突起部７を嵌め入れることで、支柱部３Ａをケーキ載置板２Ａ上に自在に立設することができる。
【００４９】
また、天板４Ａはケーキ載置板２Ａと略同形状とされ、その各コーナー部にケーキ載置板２Ａの支柱部係留用穴部６と同位置に支柱部係留用穴部６Ａが形成されている。
【００５０】
ここで、ケーキ載置板２Ａ上に立設された支柱部３Ａの突起部７に天板４Ａの支柱部係留用穴部６Ａを嵌め入れることで、天板４Ａが支柱部３Ａ上に取り付けられている。
【００５１】
更に、天板４Ａの各辺には、天板４Ａ上にケーキ載置板２Ａが積み重ねられた状態で係留することができる係留部８Ａが設けられている。
【００５２】
この係留部８Ａは、図３において詳述したように、プラスチック等の合成樹脂板がＬ字形状に形成され、天板４Ａの周縁部に穿孔された挿入溝部９内に係留部８Ａの一辺を挿し込むことで、天板４Ａの各辺に係留部８Ａを着脱自在に配置している。
【００５３】
また、ケーキ載置板２Ａには、ケーキ収納ケース１Ａを横方向に連結可能とするための連結部９が取り付けられている。
【００５４】
この連結部９は、図６（イ）に示すように、ケーキ載置板２Ａ同士を横方向に連結可能に構成されており、ポリ塩化ビニール等のように弾力性を有する合成樹脂材より形成されている。
【００５５】
具体的には、一方のケーキ載置板２Ａに設けられた連結部９には、その先端に連結突部１０が形成され、他方のケーキ載置板２Ａに設けられた連結部９には、その先端に連結突部１０を嵌め入れることで互いに係留し合う環状部１１が形成されている。
【００５６】
なお、連結部９のその他の態様としては、例えば、図６（ロ）に示すものが挙げられる。具体的には、一方のケーキ載置板２Ａに設けられた連結部９には凹部１２が形成され、他方のケーキ載置板２Ａに設けられた連結部９には凸部１３が形成され、互いに嵌め合わされることで連結自在な構成としても良い。
【００５７】
また、紙部材５Ａは和紙により形成され、例えば、ショートケーキが収納できるスペースを残した状態で支柱部３Ａ間に貼り合わせている。なお、ショートケーキをケーキ載置板２Ａ上に載せた後に、ショートケーキが収納できるスペースを残すことなく、支柱部３Ａ間を紙部材５Ａで囲繞しても良い。更に、ケーキ載置板２Ａと天板４Ａとの間隙よりも幅狭の紙部材５Ａで囲繞し、ケーキを収納する領域（即ち、ケーキ載置板と天板に挟まれた領域）の上方や下方、若しくは上方及び下方に開口領域を設ける様にしても良い。
【００５８】
なお、本実施例では、ケーキ載置板と天板は四辺形、かつ略同形状の形態について詳述するものであるが、必ずしも本実施例で例示した形態を採用する必要はない。
【００５９】
例えば、ショートケーキが収納できるスペースがあれば、三角辺形状、あるいは円形状など種々の形状であっても構わない。
【００６０】
なお、ケーキ載置板と天板が同形状であることで、組立てが効率良く行うことができると共に、ケーキ収納ケースの積み上げを容易に行うことができるという点を考慮すると、ケーキ載置板と天板とは同形状であることが好ましい。
【００６１】
なお、本実施例では和紙でケーキ載置板と天板との間を囲繞するものであるが、必ずしも和紙で囲繞する必要はない。但し、和紙は通気性や保湿性が西洋紙よりも優れており、ケーキ収納ケースの外部の冷気をケーキ収納ケースの内部に効率よく導入するといった観点を考慮すると、和紙を採用することが好ましい。
【００６２】
また、本実施例では天板に積み重ねられたケーキ載置板と係留可能な係留手段として、天板の周縁部に穿孔された挿入溝部内に一辺を差し込み、天板の周縁部と着脱自在に構成された係留部を例に挙げて説明を行っている。しかしながら、必ずしも本実施例で例示した形態を採用する必要はない。
【００６３】
例えば、係留部が天板の周縁に固着された構成であっても構わない。但し、ケーキ収納ケースを必ずしも積み重ねるとは限らないという点を考慮すると、必要に応じて（即ち、ケーキ収納ケースを積み重ねる場合に）係留部を自在に取り付けることができる構成とする方が好ましい。
【００６４】
また、本実施例ではケーキ載置板同士を横方向に連結可能な連結手段としての連結部を詳述するものであるが、必ずしもそうである必要性はない。
【００６５】
例えば、支柱部、あるいは天板同士を連結する連結部を設ける構成であっても構わない。但し、組み立ての際に支障なく、かつ容易に連結できる構成であることが好ましい。
【００６６】
以上の構成よりなる本発明のケーキ収納ケースでは、ショートケーキＢをケーキ収納ケース１Ａ内に収納する場合に、支柱部３Ａの一つを外すことで、図７に示すように、ショートケーキＢを横方向からスライドさせるための間口を確保することが可能となる。
【００６７】
なお、ショートケーキＢをケーキ載置板２Ａ上に載せた後には、取り外した支柱部３Ａを再びケーキ載置板２Ａ及び天板４に取り付け、支柱部３Ａ間を帯状の紙部材５Ａで周回し、その紙部材５Ａの両側端を貼り合わせることで、ショートケーキＢを被包する。
【００６８】
更に、ケーキ収納ケース１Ａを２段重ねとする場合には、１段目（下段）のケーキ収納ケース１Ａの天板３Ａ上に、２段目（上段）のケーキ収納ケース１Ａを重ねる。このとき、１段目（下段）のケーキ収納ケース１Ａの天板４の周縁に取り付けられた係留部８Ａで２段目のケーキ収納ケース１Ａのケーキ載置板２Ａを係留する。こうすることで、安定してケーキ収納ケース１Ａを複数段積み上げることが可能となる。
【００６９】
また、ケーキ収納ケース１Ａを横方向に連結する場合には、互いに隣接するケーキ収納ケース１Ａ同士を連結部９で連結する。
【００７０】
なお、ケーキ収納ケース１Ａを２段重ねとすると共に、１段目（下段）のケーキ収納ケース１Ａ及び２段目（上段）のケーキ収納ケースのそれぞれについて、隣接するケーキ収納ケース１Ａと連結することで、図７に示す様に、縦方向及び横方向に連結したケーキ収納ケース１Ａを実現することができる。
【００７１】
また、ケーキ収納ケース１Ａに収納されたケーキを冷蔵庫内で保冷する場合には、通気性の高い和紙を通して冷気がケーキ収納ケース１Ａ内に導入されることとなり、ショートケーキＢを効率的に冷却することができる。
【００７２】
更に、図５（ロ）で示す様に、支柱部３Ａに突起部２０が形成され、この突起部２０に板材２１を配置することで、ケーキの収納スペースを上下２段に分割することができ、背の低い菓子を収納する際の便宜を図ることが可能となる。なお、分割数は２分割に限定される必要はなく、３分割、４分割等であっても良いことは勿論である。
【００７３】
また、上記した第１の実施の形態や第２の実施の形態では、菓子収納ケースに収納される菓子の例としてデコレーションケーキやショートケーキを例に挙げて説明を行っているが、菓子収納ケースに収納される菓子は必ずしもデコレーションケーキやショートケーキに限定されるものではなく、いかなる菓子であっても良い。例えば、和菓子であっても構わない。
【符号の説明】
【００７４】
１、１Ａ      ケーキ収納ケース
２、２Ａ      ケーキ載置板
３、３Ａ      支柱部
４、４Ａ      天板
５、５Ａ      紙部材
６、６Ａ      支柱部係留用穴部
７            突起部
８、８Ａ      係留部
９          挿入溝部
１０        連結突部
１１        環状部
１２        凹部
１３        凸部
【要約】
【課題】本発明は個々のケーキ収納ケースに保冷剤を必要とせず、かつケーキ収納ケース内のケースの状態を視認することを実現可能としたケーキ収納ケースを提供する。
【解決手段】ケーキ載置板２と、このケーキ載置板２の周縁部に複数配置されると共に、少なくとも１つがケーキ載置板２と着脱自在に構成された支柱部３と、この支柱部３の上端に取り付けられると共に、ケーキ載置板２と略同形状に構成された天板４と、支柱部３に貼り合わせられ、ケーキ載置板２と天板４に挟まれた領域を略囲繞する紙部材５とを備える。
【選択図】図１【図１】
0004806474.tif 000002
【図２】
0004806474.tif 000003
【図３】
0004806474.tif 000004
【図４】
0004806474.tif 000005
【図５】
0004806474.tif 000006
【図６】
0004806474.tif 000007
【図７】
0004806474.tif 000008
【図８】
0004806474.tif 000009